(57)【要約】【課題】建設機械に装備される排土板に、重量を付加するために取り付けられるウエイトの、着脱が困難、保管が困難、またウエイトが土工作業の邪魔になるなどの問題を除くことができ、かつ必要に応じて容易に重量を追加あるいは削除できる、建設機械の排土板を提供する。【解決手段】排土板（８）に、流体を封入可能に形成した封入室（２５）と、この封入室（２５）に開閉を自在に設けた流体の注入口（３６）及び排出口（３８）を備える。【選択図】図３
2005273165.tif 000002
【特許請求の範囲】
【請求項１】
建設機械に装備される排土板であって、
該排土板が、流体を封入可能に形成された封入室と、この封入室に開閉を自在に設けられた該流体の注入口及び排出口を備えている、ことを特徴とする建設機械の排土板。
【請求項２】
該封入室が、排土板の上下高さ及び左右幅を規定するモールドボードと、このモールドボードの幅方向両端部に接合された一対の側板と、モールドボードの幅方向に延び該一対の側板の各々並びにモールドボードに接合された複数個の補強板とによって形成されている、請求項１記載の建設機械の排土板。
【請求項３】
該複数個の補強板によって仕切られた複数個の封入室が形成されている、請求項２記載の建設機械の排土板。
【請求項４】
封入室と封入室とを仕切る補強板に連通口が形成されている、請求項３記載の建設機械の排土板。
【請求項５】
該補強板が、Ｌ字形状に曲げられた断面を有しモールドボードの幅方向に延びる曲げ補強板を含み、該曲げ補強板は該Ｌ字形状の部分を排土板の上下方向の下方側に位置付けて配設されている、請求項２から４までのいずれかに記載の建設機械の排土板。
【請求項６】
該注入口及び排出口が、該排土板の幅方向の両側にそれぞれ備えられている、請求項２から５までのいずれかに記載の建設機械の排土板。
【請求項７】
該流体として水が用いられる、請求項１から６までのいずれかに記載の建設機械の排土板。
【発明の詳細な説明】
【技術分野】
【０００１】
本発明は、ブルドーザ，油圧ショベルなどの建設機械に装備される排土板に関する。
【背景技術】
【０００２】
建設機械の典型例である例えばブルドーザ、油圧ショベルなどには排土板が装備され、排土板を用いて土砂の掘削、運搬、整地などの作業が行われる。この排土板は、機体の一端に突き出して備えられ、その重量の大小の設定は建設作業を効率よく遂行するために重要である。
【０００３】
すなわち、例えばブルドーザにおいて機体の反対側にウインチ、リッパなどの作業装置を装備する場合、また油圧ショベルにおいて機体の反対側に位置付けたバケットを取り付けた作業装置のアームを伸ばし掘削作業を行う場合などには、作業負荷に対して機体のバランスを確保することができるように重いことが望ましい。また、ブルドーザにおいて土砂を掘削する場合にも重い方が望ましい。一方建設機械を軟弱地で作業させる場合には機体の前後バランスを適切に維持し走行時に機体が前のめりあるいは後ろのめりになって走行が不能にならないように重量を適切に設定するのが望ましい。さらに、稼働現場の移動など建設機械をトラック、トレーラなどに載せて輸送するときには排土板を含めて建設機械はできるだけ軽いことが望まれる。
【０００４】
これらの要望に対応するために、おもりであるウエイトを排土板の上部、例えば左右幅方向両側に１個ずつ計２個、着脱を自在にして取り付けることが行われる（例えば、特許文献１参照）。
【特許文献１】特開平１１−１５８９２６号公報（第２図）
【発明の開示】
【発明が解決しようとする課題】
【０００５】
しかしながら、上述したとおりの形態の排土板を備えた従来の建設機械には、次のとおりの解決すべき問題がある。
【０００６】
ウエイトの着脱：
ウエイトを排土板に作業の形態に応じて着脱するには、ウエイトは重量物であるのでクレーンなどの吊り手段が必要になりウエイト着脱の作業が面倒である。
【０００７】
ウエイトの保管：
ウエイトを排土板に取り付けない場合には、重量がありまた嵩のあるウエイトを保管するための運搬、保管スペース、また装着に迅速に対応できる場所に保管するなど、外したウエイトの保管が面倒である。
【０００８】
排土板を用いた作業の邪魔：
ウエイトを排土板の上部に排土板を跨ぐように取り付けた場合（上記特許文献１参照）ウエイトが排土板の前面に覆い被さり排土板を用いた土工作業の邪魔になる。これを避けるために排土板の後面に取り付ける場合には、設置のスペースが限られ、また機体のバランス面で機体からオーバハングした排土板に付加される重量が実質上減ってしまいその分重量を増したウエイトが必要になる。
【０００９】
本発明は上記事実に鑑みてなされたもので、その技術的課題は、排土板に重量を付加するために排土板に取り付けられるウエイトの、着脱が困難、保管が困難、またウエイトが土工作業の邪魔になるなどの問題を除くことができ、かつ必要に応じて重量を容易に追加あるいは削除できる、建設機械の排土板を提供することである。
【課題を解決するための手段】
【００１０】
本発明によれば上記技術的課題を解決する建設機械の排土板として、排土板が、流体を封入可能に形成された封入室と、この封入室に開閉を自在に設けられた該流体の注入口及び排出口を備えている、ことを特徴とする建設機械の排土板が提供される。
【００１１】
好適には、該封入室は、排土板の上下高さ及び左右幅を規定するモールドボードと、このモールドボードの幅方向両端部に接合された一対の側板と、モールドボードの幅方向に延び該一対の側板の各々並びにモールドボードに接合された複数個の補強板とによって形成され、複数個の補強板によって仕切られた複数個の封入室が形成される。また、封入室と封入室とを仕切る補強板に連通口が形成される。そして、該補強板は、Ｌ字形状に曲げられた断面を有しモールドボードの幅方向に延びる曲げ補強板を含み、該曲げ補強板は該Ｌ字形状の部分を排土板の上下方向の下方側に位置付けて配設されている。さらに、該注入口及び排出口が、該排土板の幅方向の両側にそれぞれ備えられ、該流体として水が用いられる。
【発明の効果】
【００１２】
本発明に従って構成された建設機械の排土板によれば、排土板が、流体を封入可能に形成された封入室と、この封入室に開閉を自在に設けられた流体の注入口及び排出口を備えている。したがって、封入室に流体、例えば水を、注入口及び排出口により適宜に充填あるいは排出できるので、排土版に重量を必要に応じて容易に追加あるいは削除でき、従来のウエイトの、着脱が困難な問題、保管が困難な問題、ウエイトが土工作業の邪魔になる問題、などを除くことができる。
【発明を実施するための最良の形態】
【００１３】
以下、本発明に従って構成された建設機械の排土板について、典型的な建設機械であるブルドーザにおける好適実施形態を図示している添付図面を参照して、さらに詳細に説明する。
【００１４】
ブルドーザを前から見た斜視図である図１を参照して説明する。全体を番号２で示すブルドーザは、左右一対の無限軌道式の走行体４，４と、走行体４，４上に取り付けられた機体本体６を備え、機体本体６及び走行体４，４の前方には排土板８が上下方向に揺動作動を自在に機体本体６に取り付けられている。機体本体６には動力源のエンジン室６ａ、及び排土板８の作動操作などブルドーザ２を操縦操作するための運転席６ｂが備えられている。
【００１５】
図１とともに、排土板８を上方から見てその要部を示した図２を参照して、先ず排土板８についてその概要を説明する。排土板８は、その上下高さ方向（図１の矢印Ｘ方向）及び左右幅方向（図１、図２の矢印Ｙ方向）の大きさを規定するモールドボード１０と、モールドボード１０の幅方向両端部に接合された一対の側板１２，１２と、モールドボード１０の幅方向に延び一対の側板１２，１２並びにモールドボード１０に接合された複数個の補強板１４，１６，１８を備えている。排土板１０の下端には幅方向に切り刃である、カッティングエッジ２０，２０が幅方向の中央の左右に、エンドビット２２，２２が幅方向の左右両端部に、それぞれ複数個のボルト２４によって交換を自在に取り付けられている。排土板８は基本的に高張力鋼板などの鋼部材を溶接接合して形成されている。
【００１６】
図２とともにその拡大断面図である図３を参照して排土板８について詳細に説明する。モールドボード１０は、鋼板を高さ方向Ｘにおいて湾曲状に成形した断面を有し幅方向Ｙに延びている。湾曲の凹側が土砂などを押す排土板の表面側に位置付けられている。モールドボード１０の裏面と左右の側板１２，１２との間には、上方から順に補強板としての曲げ補強板１４，１６、１８が取り付けられている。
【００１７】
曲げ補強板１４，１６，１８はそれぞれ、半径Ｒの曲げ部を有したＬ字形状の断面を備え、モールドボード１０の幅方向Ｙ（図３の紙面に垂直の方向）に延びている。最上部の曲げ補強板１４は、このＬ字断面形状を２個組み合わせたチャンネル状に形成され、曲げ部と曲げ部をつなぐ辺１４ａが排土板８の上下方向に位置付けられ、曲げ部から延びる一対の辺１４ｂ、１４ｃが略水平に位置付けられ、それぞれの先端がモールドボード１０の裏面に当接され溶接接合されている。
【００１８】
中間の曲げ補強板１６は、曲げ部から延びる一方の辺１６ａが略水平に配設されその先端がモールドボード１０の裏面に当接され、他方の辺１６ｂは上方に延ばされ上部の曲げ補強板１４の曲げ部に当接され、それぞれ溶接接合されている。最下部の曲げ補強板１８は、曲げ部から延びる一方の辺１８ａが略水平に配設されその先端がモールドボード１０の裏面部分に当接され、他方の辺１８ｂは上方に延ばされ中間の曲げ補強板１６の曲げ部に当接され、それぞれ溶接接合されている。
【００１９】
上述のようにこれらの曲げ補強板１４，１６，１８はそれぞれＬ字形状に曲げられた部分を排土板８の上下方向下方側に位置付けて配設されている。
【００２０】
かくして、モールドボード１０、側板１２，１２、補強板１４，１６，１８によって仕切られた、上部の封入室２６、中間の封入室２８、下部の封入室３０がそれぞれ形成されている。これらの封入室は、封入室を形成する部材が連続溶接によりあるいは断続溶接とシーラントによって接合され、気密に形成されている。
【００２１】
上部の封入室２６と中間の封入室２８を仕切る補強板１４には連通口３２が、中間の封入室２８と下部の封入室３０を仕切る補強板１８には連通口３４がそれぞれ形成されている。本実施例においては、封入室２６、２８、３０は連通されて一つの封入室２５を形成している。連通口３２，３４は、流体を封入室２５に注入する時あるいは封入室２５から排出する時に封入室２６，２８，３０を連通させるものであるので、その個数、大きさは流体の種類、性状などによって流体が流れ易いように適宜に設定すればよい。
【００２２】
最上部の曲げ補強板１４の上側の辺１４ｂには、封入室２６に開口したボス３６ａとこの開口に形成されたねじ穴にパッキン３６ｂを介して取り付けられたプラグ３６ｃとからなる、開閉を自在に設けられた注入口３６が、排土板８の幅方向Ｙの両側にそれぞれ１個備えられている（図２参照）。また、下部の曲げ補強板１８の下側の辺１８ａには、封入室３０に開口したボス３８ａとこの開口に形成されたねじ穴にパッキン３８ｂを介して取り付けられたプラグ３８ｃからなる、開閉を自在に設けられた排出口３８が、排土板８の幅方向Ｙの両側、上述の一対の注入口３６，３６の下方に位置してそれぞれ１個備えられている。
【００２３】
排土板８の封入室２５に封入される流体としては、ブルドーザ、油圧ショベルなどの建設機械の稼働現場において入手、そして排出、廃棄が容易な「水」を用いるのが好都合である。封入室２５に流体を注入するには、一対の排出口３８，３８を閉じた状態で、一対の注入口３６，３６のプラグ３６ｃを取り外し、一方の注入口３６から流体を注入し他方の注入口３６から内部空間の空気を逃がしながら行い、所定の量を注入したら一対の注入口３６，３６を閉じる。流体の注入量は、所望の重量となるように予め決めた量、あるいは空気抜きの注入口３６から流体が流出する封入室２５が一杯になるまでの量等、必要な量を適宜に注入する。封入室２５に封入された流体を排出するには、一対の注入口３６，３６を開放し、一対の排出口３８，３８を開けて行う。
【００２４】
上述したとおりの建設機械の排土板８の作用について説明する。
【００２５】
排土板にウエイトを追加あるいは削除するには、排土板に備えられた封入室に流体を注入、あるいは封入された流体を排出すればよい。したがって、排土板に取り付けられるウエイトの、着脱が困難、保管が困難、ウエイトが土工作業の邪魔になるなどの問題を除くことができる。
【００２６】
また、流体の注入及び排出は、排出口及び排出口を開閉して行えばよいので、必要に応じて排土板に容易に重量を追加あるいは削除することができる。
【００２７】
注入口及び排出口を排土板の幅方向の両側に備えたので、例えば排土板を幅方向において傾けた状態となるように機体の姿勢を制御し、あるいは排土板のみの姿勢を制御することにより、流体の注入また排出をより容易に行うことができる。
【００２８】
封入室を形成する補強板の断面Ｌ字状の部分を封入室の下部側に配置したので、流体を排出するときに流体は排出されやすくなり、また封入室に残留しにくくなる。
【００２９】
以上、本発明を実施例に基づいて詳細に説明したが、本発明は上記の実施例に限定されるものではなく、例えば下記のように、本発明の範囲内においてさまざまな変形あるいは修正ができる。
【００３０】
本実施例においては、封入室として３個の封入室２６，２８，３０を連通口３２，３４によってつなぎ１個の封入室２５としたが、それぞれを独立した封入室にしてそれぞれに注入口および排出口を備えてもよい。また封入室の数は３個に限定されるものではなく、これらの封入室全てを用いなくてもよい。すなわち、排土板の重量を適宜に調整できるように、封入室は１個以上適宜に適宜の個所に設置すればよい。
【００３１】
本実施例においては、封入室に注入される流体として「水」が用いられたが、例えば粒状の鉄、砂などを用いることもできる。
【００３２】
本実施例においては、排出口に開閉自在にプラグを用いたが、排出される流体の種類に応じて例えばコック、バルブなどの手段を用いてもよい。
【図面の簡単な説明】
【００３３】
【図１】本発明に従って構成された排土板を備えた典型的な建設機械であるブルドーザを左前上方から見た斜視図。
【図２】図１の排土板を上方から見てその要部を示した拡大平面図。
【図３】図２のＡ−Ａ矢印方向に見た排土板の拡大断面図。
【符号の説明】
【００３４】
２：ブルドーザ（建設機械）
８：排土板
１０：モールドボード
１２：側板
１４：曲げ補強板（補強板）
１６：曲げ補強板（補強板）
１８：曲げ補強板（補強板）
２５：封入室
２６：封入室
２８：封入室
３０：封入室
３２：連通口
３４：連通口
３６：注入口
３８：排出口
【図１】
2005273165.tif 000003
【図２】
2005273165.tif 000004
【図３】
2005273165.tif 000005